【手続補正書】
【提出日】平成22年9月28日(2010.9.28)
【手続補正１】
【補正対象書類名】特許請求の範囲
【補正対象項目名】全文
【補正方法】変更
【補正の内容】
【特許請求の範囲】
【請求項１】
画像処理装置と印刷装置を有する印刷システムであって、
前記画像処理装置は、
印刷ジョブを入力する入力手段と、
前記入力手段により入力された印刷ジョブを実行するために必要な資源が前記印刷装置に備えられている場合に、当該印刷ジョブの画像データと当該印刷ジョブの設定情報を前記印刷装置に送信し、前記入力手段により入力された印刷ジョブを実行するために必要な資源が前記印刷装置に備えられていない場合に、当該印刷ジョブの画像データを送信せずに当該印刷ジョブの設定情報を前記印刷装置に送信する送信手段とを備え、
前記送信手段は、印刷ジョブを実行するために必要な資源が前記印刷装置に備えられていなかった印刷ジョブを実行するために必要な資源が前記印刷装置に備えられた場合に、当該印刷ジョブの画像データを前記印刷装置に送信し、
前記印刷装置は、
前記印刷ジョブの画像データ及び前記印刷ジョブの設定情報を前記画像処理装置から受信する受信手段と、
前記受信手段が前記印刷ジョブの画像データ及び前記印刷ジョブの設定情報を受信した場合に、当該印刷ジョブを印刷待ちジョブとして登録し、前記受信手段が前記印刷ジョブの設定情報を受信し前記印刷ジョブの画像データを受信しなかった場合に、当該印刷ジョブを退避ジョブとして登録する登録手段と、
前記印刷待ちジョブとして登録された印刷ジョブに基づいて印刷処理を実行する印刷手段とを備え、
前記登録手段は、前記受信手段が前記退避ジョブとして登録された印刷ジョブの画像データを受信した場合に、前記受信手段が当該退避ジョブとして登録された印刷ジョブの設定情報を受信した順番で当該退避ジョブとして登録された印刷ジョブが実行されるように、当該退避ジョブとして登録された印刷ジョブを前記印刷待ちジョブとして登録する
ことを特徴とする印刷システム。
【請求項２】
前記印刷装置は、
ユーザの指示に従って、前記退避ジョブとして登録される印刷ジョブが実行されるべき順番を設定する設定手段を更に備え、
前記登録手段は、前記受信手段が前記退避ジョブとして登録された印刷ジョブの画像データを受信した場合に、当該退避ジョブとして登録された印刷ジョブが前記設定手段により設定された順番で実行されるように、当該退避ジョブとして登録された印刷ジョブを前記印刷待ちジョブとして登録する
ことを特徴とする請求項１に記載の印刷システム。
【請求項３】
前記設定手段は、前記印刷待ちジョブとして登録された印刷ジョブのうち最後に実行されるジョブより後である第１の順番及び前記印刷待ちジョブとして登録された印刷ジョブのうち最後に実行されるジョブより前である第２の順番を含む複数の順番の中から、前記登録手段により前記退避ジョブとして登録される印刷ジョブが実行されるべき順番を設定する
ことを特徴とする請求項２に記載の印刷システム。
【請求項４】
前記第２の順番は、前記受信手段が前記退避ジョブとして登録された印刷ジョブの設定情報を受信した順番である
ことを特徴とする請求項３に記載の印刷システム。
【請求項５】
前記第２の順番は、前記受信手段が前記退避ジョブとして登録された印刷ジョブの画像データを受信した際に実行中の印刷ジョブの次の順番である
ことを特徴とする請求項３に記載の印刷システム。
【請求項６】
前記印刷装置は、
前記印刷ジョブを前記退避ジョブとして登録するための退避条件の設定を行う退避条件設定手段を更に備え、
前記登録手段は、前記退避条件に従って、前記印刷ジョブを前記退避ジョブとして登録する
ことを特徴とする請求項１に記載の印刷システム。
【請求項７】
前記印刷装置は、
前記退避ジョブとして登録された印刷ジョブを前記印刷待ちジョブとして登録するための復帰条件の設定を行う復帰条件設定手段を更に備え、
前記登録手段は、前記復帰条件に従って、前記退避ジョブとして登録された印刷ジョブを前記印刷待ちジョブとして登録する
ことを特徴とする請求項１に記載の印刷システム。
【請求項８】
前記登録手段は、前記受信手段が前記退避ジョブとして登録された印刷ジョブの画像データを受信した場合において、自動的に、前記受信手段が当該退避ジョブとして登録された印刷ジョブの設定情報を受信した順番で当該退避ジョブとして登録された印刷ジョブが実行されるように、当該退避ジョブとして登録された印刷ジョブを前記印刷待ちジョブとして登録する
ことを特徴とする請求項１に記載の印刷システム。
【請求項９】
前記登録手段は、前記受信手段が前記退避ジョブとして登録された印刷ジョブの画像データを受信した場合において、ユーザの指示に応じて、前記受信手段が当該退避ジョブとして登録された印刷ジョブの設定情報を受信した順番で当該退避ジョブとして登録された印刷ジョブが実行されるように、当該退避ジョブとして登録された印刷ジョブを前記印刷待ちジョブとして登録する
ことを特徴とする請求項１に記載の印刷システム。
【請求項１０】
画像処理装置と印刷装置を有する印刷システムにおける画像処理装置であって、
印刷ジョブを入力する入力手段と、
前記入力手段により入力された印刷ジョブを実行するために必要な資源が前記印刷装置に備えられている場合に、当該印刷ジョブの画像データと当該印刷ジョブの設定情報を前記印刷装置に送信し、前記入力手段により入力された印刷ジョブを実行するために必要な資源が前記印刷装置に備えられていない場合に、当該印刷ジョブの画像データを送信せずに当該印刷ジョブの設定情報を前記印刷装置に送信する送信手段とを備え、
前記送信手段は、印刷ジョブを実行するために必要な資源が前記印刷装置に備えられていなかった印刷ジョブを実行するために必要な資源が前記印刷装置に備えられた場合に、当該印刷ジョブの画像データを前記印刷装置に送信する
ことを特徴とする画像処理装置。
【請求項１１】
画像処理装置と印刷装置を有する印刷システムにおける印刷装置であって、
前記印刷ジョブの画像データ及び前記印刷ジョブの設定情報を前記画像処理装置から受信する受信手段と、
前記受信手段が前記印刷ジョブの画像データ及び前記印刷ジョブの設定情報を受信した場合に、当該印刷ジョブを印刷待ちジョブとして登録し、前記受信手段が前記印刷ジョブの設定情報を受信し前記印刷ジョブの画像データを受信しなかった場合に、当該印刷ジョブを退避ジョブとして登録する登録手段と、
前記印刷待ちジョブとして登録された印刷ジョブに基づいて印刷処理を実行する印刷手段とを備え、
前記登録手段は、前記受信手段が前記退避ジョブとして登録された印刷ジョブの画像データを受信した場合に、前記受信手段が当該退避ジョブとして登録された印刷ジョブの設定情報を受信した順番で当該退避ジョブとして登録された印刷ジョブが実行されるように、当該退避ジョブとして登録された印刷ジョブを前記印刷待ちジョブとして登録する
ことを特徴とする印刷装置。
【請求項１２】
画像処理装置と印刷装置を有する印刷システムにおける画像処理装置の制御方法であって、
印刷ジョブを入力する入力工程と、
前記入力工程により入力された印刷ジョブを実行するために必要な資源が前記印刷装置に備えられている場合に、当該印刷ジョブの画像データと当該印刷ジョブの設定情報を前記印刷装置に送信し、前記入力工程により入力された印刷ジョブを実行するために必要な資源が前記印刷装置に備えられていない場合に、当該印刷ジョブの画像データを送信せずに当該印刷ジョブの設定情報を前記印刷装置に送信する送信工程とを備え、
前記送信工程は、印刷ジョブを実行するために必要な資源が前記印刷装置に備えられていなかった印刷ジョブを実行するために必要な資源が前記印刷装置に備えられた場合に、当該印刷ジョブの画像データを前記印刷装置に送信する
ことを特徴とする画像処理装置の制御方法。
【請求項１３】
画像処理装置と印刷装置を有する印刷システムにおける印刷装置の制御方法であって、  印刷ジョブの画像データ及び前記印刷ジョブの設定情報を前記画像処理装置から受信する受信工程と、
前記受信工程が前記印刷ジョブの画像データ及び前記印刷ジョブの設定情報を受信した場合に、当該印刷ジョブを印刷待ちジョブとして登録し、前記受信工程が前記印刷ジョブの設定情報を受信し前記印刷ジョブの画像データを受信しなかった場合に、当該印刷ジョブを退避ジョブとして登録する登録工程と、
前記印刷待ちジョブとして登録された印刷ジョブに基づいて印刷処理を実行する印刷工程とを備え、
前記登録工程は、前記受信工程が前記退避ジョブとして登録された印刷ジョブの画像データを受信した場合に、前記受信工程が当該退避ジョブとして登録された印刷ジョブの設定情報を受信した順番で当該退避ジョブとして登録された印刷ジョブが実行されるように、当該退避ジョブとして登録された印刷ジョブを前記印刷待ちジョブとして登録する
ことを特徴とする印刷装置の制御方法。
【請求項１４】
画像処理装置と印刷装置を有する印刷システムにおける画像処理装置の制御をコンピュータに機能させるためのプログラムであって、
前記コンピュータを、
印刷ジョブを入力する入力手段と、
前記入力手段により入力された印刷ジョブを実行するために必要な資源が前記印刷装置に備えられている場合に、当該印刷ジョブの画像データと当該印刷ジョブの設定情報を前記印刷装置に送信し、前記入力手段により入力された印刷ジョブを実行するために必要な資源が前記印刷装置に備えられていない場合に、当該印刷ジョブの画像データを送信せずに当該印刷ジョブの設定情報を前記印刷装置に送信する送信手段として機能させ、
前記送信手段は、印刷ジョブを実行するために必要な資源が前記印刷装置に備えられていなかった印刷ジョブを実行するために必要な資源が前記印刷装置に備えられた場合に、当該印刷ジョブの画像データを前記印刷装置に送信する
ことを特徴とするプログラム。
【請求項１５】
画像処理装置と印刷装置を有する印刷システムにおける印刷装置の制御をコンピュータに機能させるためのプログラムであって、
前記コンピュータを、
前記印刷ジョブの画像データ及び前記印刷ジョブの設定情報を前記画像処理装置から受信する受信手段と、
前記受信手段が前記印刷ジョブの画像データ及び前記印刷ジョブの設定情報を受信した場合に、当該印刷ジョブを印刷待ちジョブとして登録し、前記受信手段が前記印刷ジョブの設定情報を受信し前記印刷ジョブの画像データを受信しなかった場合に、当該印刷ジョブを退避ジョブとして登録する登録手段と、
前記印刷待ちジョブとして登録された印刷ジョブに基づいて印刷処理を実行する印刷手段として機能させ、
前記登録手段は、前記受信手段が前記退避ジョブとして登録された印刷ジョブの画像データを受信した場合に、前記受信手段が当該退避ジョブとして登録された印刷ジョブの設定情報を受信した順番で当該退避ジョブとして登録された印刷ジョブが実行されるように、当該退避ジョブとして登録された印刷ジョブを前記印刷待ちジョブとして登録する
ことを特徴とするプログラム。
【手続補正２】
【補正対象書類名】明細書
【補正対象項目名】発明の名称
【補正方法】変更
【補正の内容】
【発明の名称】印刷システム、印刷装置、画像処理装置及びそれらの制御方法、プログラム
【手続補正３】
【補正対象書類名】明細書
【補正対象項目名】０００１
【補正方法】変更
【補正の内容】
【０００１】
本発明は、画像処理装置と印刷装置とがネットワークを介して構成され、前記画像処理装置から前記印刷装置へ印刷データを転送する印刷システム、印刷装置、画像処理装置及びそれらの制御方法、プログラムに関するものである。
【手続補正４】
【補正対象書類名】明細書
【補正対象項目名】００２０
【補正方法】変更
【補正の内容】
【００２０】
本発明は上記の課題を解決するためになされたものである。その目的は、例えば、画像処理装置で印刷用の画像データを生成してから印刷装置へ供給する印刷システムにおいて、印刷装置にエラーが発生した場合でも、効率的に印刷処理を続行させることができる構成を提供することにある。特に、エラーが発生しても効率よくジョブを処理可能にすることは勿論のこと、例えば、図１９のようなシステム構成にて想定されうる上記のような懸念事項に対しても対処した、便利なシステムを構築可能とする。
【手続補正５】
【補正対象書類名】明細書
【補正対象項目名】００２１
【補正方法】変更
【補正の内容】
【００２１】
上記の目的を達成するための本発明による印刷システムは以下の構成を備える。即ち、
前記画像処理装置は、
印刷ジョブを入力する入力手段と、
前記入力手段により入力された印刷ジョブを実行するために必要な資源が前記印刷装置に備えられている場合に、当該印刷ジョブの画像データと当該印刷ジョブの設定情報を前記印刷装置に送信し、前記入力手段により入力された印刷ジョブを実行するために必要な資源が前記印刷装置に備えられていない場合に、当該印刷ジョブの画像データを送信せずに当該印刷ジョブの設定情報を前記印刷装置に送信する送信手段とを備え、
前記送信手段は、印刷ジョブを実行するために必要な資源が前記印刷装置に備えられていなかった印刷ジョブを実行するために必要な資源が前記印刷装置に備えられた場合に、当該印刷ジョブの画像データを前記印刷装置に送信し、
前記印刷装置は、
前記印刷ジョブの画像データ及び前記印刷ジョブの設定情報を前記画像処理装置から受信する受信手段と、
前記受信手段が前記印刷ジョブの画像データ及び前記印刷ジョブの設定情報を受信した場合に、当該印刷ジョブを印刷待ちジョブとして登録し、前記受信手段が前記印刷ジョブの設定情報を受信し前記印刷ジョブの画像データを受信しなかった場合に、当該印刷ジョブを退避ジョブとして登録する登録手段と、
前記印刷待ちジョブとして登録された印刷ジョブに基づいて印刷処理を実行する印刷手段とを備え、
前記登録手段は、前記受信手段が前記退避ジョブとして登録された印刷ジョブの画像データを受信した場合に、前記受信手段が当該退避ジョブとして登録された印刷ジョブの設定情報を受信した順番で当該退避ジョブとして登録された印刷ジョブが実行されるように、当該退避ジョブとして登録された印刷ジョブを前記印刷待ちジョブとして登録する。
【手続補正６】
【補正対象書類名】明細書
【補正対象項目名】００２２
【補正方法】変更
【補正の内容】
【００２２】
また、好ましくは、前記印刷装置は、
ユーザの指示に従って、前記退避ジョブとして登録される印刷ジョブが実行されるべき順番を設定する設定手段を更に備え、
前記登録手段は、前記受信手段が前記退避ジョブとして登録された印刷ジョブの画像データを受信した場合に、当該退避ジョブとして登録された印刷ジョブが前記設定手段により設定された順番で実行されるように、当該退避ジョブとして登録された印刷ジョブを前記印刷待ちジョブとして登録する。
【手続補正７】
【補正対象書類名】明細書
【補正対象項目名】００２３
【補正方法】変更
【補正の内容】
【００２３】
また、好ましくは、前記設定手段は、前記印刷待ちジョブとして登録された印刷ジョブのうち最後に実行されるジョブより後である第１の順番及び前記印刷待ちジョブとして登録された印刷ジョブのうち最後に実行されるジョブより前である第２の順番を含む複数の順番の中から、前記登録手段により前記退避ジョブとして登録される印刷ジョブが実行されるべき順番を設定する。
【手続補正８】
【補正対象書類名】明細書
【補正対象項目名】００２４
【補正方法】変更
【補正の内容】
【００２４】
また、好ましくは、前記第２の順番は、前記受信手段が前記退避ジョブとして登録された印刷ジョブの設定情報を受信した順番である。
【手続補正９】
【補正対象書類名】明細書
【補正対象項目名】００２５
【補正方法】変更
【補正の内容】
【００２５】
また、好ましくは、前記第２の順番は、前記受信手段が前記退避ジョブとして登録された印刷ジョブの画像データを受信した際に実行中の印刷ジョブの次の順番である。
【手続補正１０】
【補正対象書類名】明細書
【補正対象項目名】００２６
【補正方法】変更
【補正の内容】
【００２６】
また、好ましくは、前記印刷装置は、
前記印刷ジョブを前記退避ジョブとして登録するための退避条件の設定を行う退避条件設定手段を更に備え、
前記登録手段は、前記退避条件に従って、前記印刷ジョブを前記退避ジョブとして登録する。
【手続補正１１】
【補正対象書類名】明細書
【補正対象項目名】００２７
【補正方法】変更
【補正の内容】
【００２７】
また、好ましくは、前記印刷装置は、
前記退避ジョブとして登録された印刷ジョブを前記印刷待ちジョブとして登録するための復帰条件の設定を行う復帰条件設定手段を更に備え、
前記登録手段は、前記復帰条件に従って、前記退避ジョブとして登録された印刷ジョブを前記印刷待ちジョブとして登録する。
【手続補正１２】
【補正対象書類名】明細書
【補正対象項目名】００２８
【補正方法】変更
【補正の内容】
【００２８】
また、好ましくは、前記登録手段は、前記受信手段が前記退避ジョブとして登録された印刷ジョブの画像データを受信した場合において、自動的に、前記受信手段が当該退避ジョブとして登録された印刷ジョブの設定情報を受信した順番で当該退避ジョブとして登録された印刷ジョブが実行されるように、当該退避ジョブとして登録された印刷ジョブを前記印刷待ちジョブとして登録する。
【手続補正１３】
【補正対象書類名】明細書
【補正対象項目名】００２９
【補正方法】変更
【補正の内容】
【００２９】
また、好ましくは、前記登録手段は、前記受信手段が前記退避ジョブとして登録された印刷ジョブの画像データを受信した場合において、ユーザの指示に応じて、前記受信手段が当該退避ジョブとして登録された印刷ジョブの設定情報を受信した順番で当該退避ジョブとして登録された印刷ジョブが実行されるように、当該退避ジョブとして登録された印刷ジョブを前記印刷待ちジョブとして登録する。
【手続補正１４】
【補正対象書類名】明細書
【補正対象項目名】００３０
【補正方法】変更
【補正の内容】
【００３０】
上記の目的を達成するための本発明による画像処理装置は以下の構成を備える。即ち、  画像処理装置と印刷装置を有する印刷システムにおける画像処理装置であって、
印刷ジョブを入力する入力手段と、
前記入力手段により入力された印刷ジョブを実行するために必要な資源が前記印刷装置に備えられている場合に、当該印刷ジョブの画像データと当該印刷ジョブの設定情報を前記印刷装置に送信し、前記入力手段により入力された印刷ジョブを実行するために必要な資源が前記印刷装置に備えられていない場合に、当該印刷ジョブの画像データを送信せずに当該印刷ジョブの設定情報を前記印刷装置に送信する送信手段とを備え、
前記送信手段は、印刷ジョブを実行するために必要な資源が前記印刷装置に備えられていなかった印刷ジョブを実行するために必要な資源が前記印刷装置に備えられた場合に、当該印刷ジョブの画像データを前記印刷装置に送信する。
【手続補正１５】
【補正対象書類名】明細書
【補正対象項目名】００３１
【補正方法】変更
【補正の内容】
【００３１】
上記の目的を達成するための本発明による印刷装置は以下の構成を備える。即ち、
画像処理装置と印刷装置を有する印刷システムにおける印刷装置であって、
前記印刷ジョブの画像データ及び前記印刷ジョブの設定情報を前記画像処理装置から受信する受信手段と、
前記受信手段が前記印刷ジョブの画像データ及び前記印刷ジョブの設定情報を受信した場合に、当該印刷ジョブを印刷待ちジョブとして登録し、前記受信手段が前記印刷ジョブの設定情報を受信し前記印刷ジョブの画像データを受信しなかった場合に、当該印刷ジョブを退避ジョブとして登録する登録手段と、
前記印刷待ちジョブとして登録された印刷ジョブに基づいて印刷処理を実行する印刷手段とを備え、
前記登録手段は、前記受信手段が前記退避ジョブとして登録された印刷ジョブの画像データを受信した場合に、前記受信手段が当該退避ジョブとして登録された印刷ジョブの設定情報を受信した順番で当該退避ジョブとして登録された印刷ジョブが実行されるように、当該退避ジョブとして登録された印刷ジョブを前記印刷待ちジョブとして登録する。
【手続補正１６】
【補正対象書類名】明細書
【補正対象項目名】００３２
【補正方法】変更
【補正の内容】
【００３２】
上記の目的を達成するための本発明による画像処理装置の制御方法は以下の構成を備える。即ち、
画像処理装置と印刷装置を有する印刷システムにおける画像処理装置の制御方法であって、
印刷ジョブを入力する入力工程と、
前記入力工程により入力された印刷ジョブを実行するために必要な資源が前記印刷装置に備えられている場合に、当該印刷ジョブの画像データと当該印刷ジョブの設定情報を前記印刷装置に送信し、前記入力工程により入力された印刷ジョブを実行するために必要な資源が前記印刷装置に備えられていない場合に、当該印刷ジョブの画像データを送信せずに当該印刷ジョブの設定情報を前記印刷装置に送信する送信工程とを備え、
前記送信工程は、印刷ジョブを実行するために必要な資源が前記印刷装置に備えられていなかった印刷ジョブを実行するために必要な資源が前記印刷装置に備えられた場合に、当該印刷ジョブの画像データを前記印刷装置に送信する。
【手続補正１７】
【補正対象書類名】明細書
【補正対象項目名】００３３
【補正方法】変更
【補正の内容】
【００３３】
上記の目的を達成するための本発明による印刷装置の制御方法は以下の構成を備える。即ち、
画像処理装置と印刷装置を有する印刷システムにおける印刷装置の制御方法であって、  印刷ジョブの画像データ及び前記印刷ジョブの設定情報を前記画像処理装置から受信する受信工程と、
前記受信工程が前記印刷ジョブの画像データ及び前記印刷ジョブの設定情報を受信した場合に、当該印刷ジョブを印刷待ちジョブとして登録し、前記受信工程が前記印刷ジョブの設定情報を受信し前記印刷ジョブの画像データを受信しなかった場合に、当該印刷ジョブを退避ジョブとして登録する登録工程と、
前記印刷待ちジョブとして登録された印刷ジョブに基づいて印刷処理を実行する印刷工程とを備え、
前記登録工程は、前記受信工程が前記退避ジョブとして登録された印刷ジョブの画像データを受信した場合に、前記受信工程が当該退避ジョブとして登録された印刷ジョブの設定情報を受信した順番で当該退避ジョブとして登録された印刷ジョブが実行されるように、当該退避ジョブとして登録された印刷ジョブを前記印刷待ちジョブとして登録する。
【手続補正１８】
【補正対象書類名】明細書
【補正対象項目名】００３４
【補正方法】変更
【補正の内容】
【００３４】
上記の目的を達成するための本発明によるプログラムは以下の構成を備える。即ち、
画像処理装置と印刷装置を有する印刷システムにおける画像処理装置の制御をコンピュータに機能させるためのプログラムであって、
前記コンピュータを、
印刷ジョブを入力する入力手段と、
前記入力手段により入力された印刷ジョブを実行するために必要な資源が前記印刷装置に備えられている場合に、当該印刷ジョブの画像データと当該印刷ジョブの設定情報を前記印刷装置に送信し、前記入力手段により入力された印刷ジョブを実行するために必要な資源が前記印刷装置に備えられていない場合に、当該印刷ジョブの画像データを送信せずに当該印刷ジョブの設定情報を前記印刷装置に送信する送信手段として機能させ、
前記送信手段は、印刷ジョブを実行するために必要な資源が前記印刷装置に備えられていなかった印刷ジョブを実行するために必要な資源が前記印刷装置に備えられた場合に、当該印刷ジョブの画像データを前記印刷装置に送信する。
【手続補正１９】
【補正対象書類名】明細書
【補正対象項目名】００３５
【補正方法】変更
【補正の内容】
【００３５】
上記の目的を達成するための本発明によるプログラムは以下の構成を備える。即ち、
画像処理装置と印刷装置を有する印刷システムにおける印刷装置の制御をコンピュータに機能させるためのプログラムであって、
前記コンピュータを、
前記印刷ジョブの画像データ及び前記印刷ジョブの設定情報を前記画像処理装置から受信する受信手段と、
前記受信手段が前記印刷ジョブの画像データ及び前記印刷ジョブの設定情報を受信した場合に、当該印刷ジョブを印刷待ちジョブとして登録し、前記受信手段が前記印刷ジョブの設定情報を受信し前記印刷ジョブの画像データを受信しなかった場合に、当該印刷ジョブを退避ジョブとして登録する登録手段と、
前記印刷待ちジョブとして登録された印刷ジョブに基づいて印刷処理を実行する印刷手段として機能させ、
前記登録手段は、前記受信手段が前記退避ジョブとして登録された印刷ジョブの画像データを受信した場合に、前記受信手段が当該退避ジョブとして登録された印刷ジョブの設定情報を受信した順番で当該退避ジョブとして登録された印刷ジョブが実行されるように、当該退避ジョブとして登録された印刷ジョブを前記印刷待ちジョブとして登録する。
【手続補正２０】
【補正対象書類名】明細書
【補正対象項目名】００３６
【補正方法】変更
【補正の内容】
【００３６】
本発明によれば、例えば、画像処理装置で印刷用の画像データを生成していから印刷装置へ供給する印刷システムにおいて、印刷装置にエラーが発生した場合でも、効率的に印刷処理を続行させることができる構成を提供できる。又、例えば、エラーが発生しても効率よくジョブを処理可能にすることは勿論のこと、印刷装置と画像処理装置とが独立した構成のようなシステム構成にて想定されうる懸念事項に対しても対処した、便利なシステムが構築可能となる。